(57)【要約】【課題】バックアップ時間を長くするためにバックアップ用バッテリの電圧を高くしてもメインバッテリの電圧低下時にバックアップ用バッテリからメインバッテリに電流が流れることを防止でき、バックアップ時間を長くすることができる電源装置を得る。【解決手段】電圧監視回路６により、電源電圧Ｖｍが電圧値Ｖ１未満になると制御信号Ｓｃ１がローレベルに、電源電圧Ｖｍが電圧値Ｖ１以上になると制御信号Ｓｃ１がハイレベルになり、電圧比較回路７により、バックアップ電圧Ｖｂが電源電圧Ｖｍ以上になると制御信号Ｓｃ２がローレベルに、バックアップ電圧Ｖｂが電源電圧Ｖｍ未満になると制御信号Ｓｃ２がハイレベルになり、制御信号Ｓｃ１及びＳｃ２が共にハイレベルのときは制御スイッチ５がオンして導通状態に、それ以外は制御スイッチ５がオフして遮断状態になるようにした。【選択図】  図１
2005045873.tif 000002
【特許請求の範囲】
【請求項１】
負荷への電源供給を行うメインバッテリの電圧Ｖｍが低下すると該メインバッテリに代わって負荷に電源供給を行うバックアップ用バッテリを備えた電源装置において、
アノードに前記メインバッテリの電圧Ｖｍが印加されると共に、カソードに前記バックアップ用バッテリの電圧Ｖｂが印加され、メインバッテリの電圧Ｖｍを前記負荷に出力するダイオードと、
入力された制御信号に応じて該ダイオードの短絡制御を行うスイッチ回路部と、
前記メインバッテリの電圧Ｖｍを監視し、電圧Ｖｍが所定の電圧値Ｖ１未満であるか否かを示した信号Ｓｃ１を出力する電圧監視回路部と、
前記メインバッテリの電圧Ｖｍとバックアップ用バッテリの電圧Ｖｂの電圧比較を行い、該比較結果を示した信号Ｓｃ２を生成して出力する電圧比較回路部と、を備え、
前記スイッチ回路部は、メインバッテリの電圧Ｖｍが所定の電圧値Ｖ１未満であるか及び／又はメインバッテリの電圧Ｖｍがバックアップ用バッテリの電圧Ｖｂ以下である場合、バックアップ用バッテリからメインバッテリへの電流の流入を防ぐように、電圧Ｖｍが前記ダイオードを介して負荷に入力されるようにすることを特徴とする電源装置。
【請求項２】
前記スイッチ回路部は、メインバッテリの電圧Ｖｍが所定の電圧値Ｖ１以上であると共にメインバッテリの電圧Ｖｍがバックアップ用バッテリの電圧Ｖｂを超えている場合、前記ダイオードを短絡することを特徴とする請求項１記載の電源装置。
【請求項３】
前記電圧比較回路部は、前記負荷に設けられることを特徴とする請求項１又は２記載の電源装置。
【請求項４】
前記電圧監視回路部は、前記負荷に設けられることを特徴とする請求項３記載の電源装置。
【請求項５】
前記ダイオード、スイッチ回路部、電圧監視回路部及び電圧比較回路部は、１つのＩＣに集積されることを特徴とする請求項１又は２記載の電源装置。
【請求項６】
前記ダイオード、スイッチ回路部及び電圧監視回路部は、１つのＩＣに集積されることを特徴とする請求項３記載の電源装置。
【請求項７】
前記ダイオード及びスイッチ回路部は、１つのＩＣに集積されることを特徴とする請求項４記載の電源装置。
【請求項８】
負荷への電源供給を行うメインバッテリの電圧Ｖｍが低下すると該メインバッテリに代わって負荷に電源供給を行うバックアップ用バッテリを備えた電源装置において、
前記メインバッテリの電圧Ｖｍを所定の電圧に安定化させて出力するレギュレータ回路部と、
アノードに該レギュレータ回路部の出力電圧が印加されると共に、カソードに前記バックアップ用バッテリの電圧Ｖｂが印加され、前記レギュレータ回路部の出力電圧を前記負荷に出力するダイオードと、
入力された制御信号に応じて該ダイオードの短絡制御を行うスイッチ回路部と、
前記レギュレータ回路部の出力電圧を監視し、該出力電圧が所定の電圧値Ｖ１未満であるか否かを示した信号Ｓｃ１を出力する電圧監視回路部と、
前記レギュレータ回路部の出力電圧とバックアップ用バッテリの電圧Ｖｂの電圧比較を行い、該比較結果を示した信号Ｓｃ２を生成して出力する電圧比較回路部と、を備え、
前記スイッチ回路部は、レギュレータ回路部の出力電圧が所定の電圧値Ｖ１未満であるか及び／又はレギュレータ回路部の出力電圧がバックアップ用バッテリの電圧Ｖｂ以下である場合、バックアップ用バッテリからメインバッテリへの電流の流入を防ぐように、電圧Ｖｍが前記ダイオードを介して負荷に入力されるようにすることを特徴とする電源装置。
【請求項９】
前記スイッチ回路部は、レギュレータ回路部の出力電圧が所定の電圧値Ｖ１以上であると共にレギュレータ回路部の出力電圧がバックアップ用バッテリの電圧Ｖｂを超えている場合、前記ダイオードを短絡することを特徴とする請求項８記載の電源装置。
【請求項１０】
前記電圧比較回路部は、前記負荷に設けられることを特徴とする請求項８又は９記載の電源装置。
【請求項１１】
前記電圧監視回路部は、前記負荷に設けられることを特徴とする請求項１０記載の電源装置。
【請求項１２】
前記レギュレータ回路部、ダイオード、スイッチ回路部、電圧監視回路部及び電圧比較回路部は、１つのＩＣに集積されることを特徴とする請求項８又は９記載の電源装置。
【請求項１３】
前記レギュレータ回路部、ダイオード、スイッチ回路部及び電圧監視回路部は、１つのＩＣに集積されることを特徴とする請求項１０記載の電源装置。
【請求項１４】
前記レギュレータ回路部、ダイオード及びスイッチ回路部は、１つのＩＣに集積されることを特徴とする請求項１１記載の電源装置。
【発明の詳細な説明】
【０００１】
【発明の属する技術分野】
本発明は、携帯電話等の２次電池を電源にして作動する機器の電源装置に関し、特に、メインバッテリの電圧が所定値よりも低下した際に該メインバッテリに代わって電源供給を行うバックアップ用バッテリを備えた電源装置に関する。
【０００２】
【従来の技術】
従来、携帯電話等の２次電池を電源にした携帯用機器においては、該機器に電源を供給するメインバッテリの電圧が所定値よりも低下すると、該機器の所定の状態を保持するために電源供給を行うバックアップ用のバッテリを別途搭載していた。このような、バックアップ用バッテリの使用可能時間を長くする方法として、バックアップ時間を所定の時間に限定し、無用なバックアップ時間の延長を防止することにより、バックアップ用バッテリの消耗を防いで寿命を延ばすバックアップ電源回路があった（例えば、特許文献１参照。）。
【０００３】
また、従来のバックアップ用バッテリを使用した電源装置として、図７に示すようなものがあった。
図７において、機器に電源供給を行う２次電池からなるメインバッテリ１０１が接続される第１の電源端子１０２と、メインバッテリ１０１の電圧Ｖｍが低下したときに機器の所定の状態を保持するための電源を供給するバックアップ用バッテリ１０３が接続される第２の電源端子１０４との間にはダイオード１０５が接続されている。ダイオード１０５は、メインバッテリ１０１の電圧Ｖｍが低下した際にバックアップ用バッテリ１０３から該メインバッテリ１０１へ電流が流入することを防止して、バックアップ用バッテリ１０３の使用可能時間を長くするためのものである。
【０００４】
ダイオード１０５には制御スイッチ１０６が並列に接続されており、メインバッテリ１０１の電圧Ｖｍを監視し、メインバッテリ１０１の電圧Ｖｍに応じて制御スイッチ１０６のスイッチング制御を行う電圧監視回路１０７を備えている。例えば、正常時のメインバッテリ１０１の電圧Ｖｍが３．２Ｖ〜４．２Ｖであり、バックアップ用バッテリ１０３の電圧Ｖｂが３．０Ｖである場合、電圧監視回路１０７は、メインバッテリ１０１の電圧Ｖｍが３．０Ｖ未満に低下すると制御スイッチ１０６をオフさせて遮断状態にする。制御スイッチ１０６がオフすると、第１の電源端子１０２と第２の電源端子１０４との間にダイオード１０５が接続された状態になり、バックアップ用バッテリ１０３からメインバッテリ１０１に電流が流れることを防止して、バックアップ用バッテリ１０３の使用可能時間を長くしていた。
【０００５】
【特許文献１】
特開平１０−１４５５２７号公報
【０００６】
【発明が解決しようとする課題】
一方、近年、機器に対するバックアップ時間を長くするために、バックアップ用バッテリの電圧を高くするようになってきた。例えば、図７において、バックアップ用バッテリ１０３の電圧を３．０Ｖから３．３Ｖに上昇させることにより、機器に対するバックアップ時間を長くすることができる。しかし、バックアップ用バッテリ１０３の電圧を高くすると、制御スイッチ１０６がオンしている期間に、バックアップ用バッテリ１０３よりもメインバッテリ１０１の電圧が低くなり、バックアップ用バッテリ１０３からメインバッテリ１０１に電流が流れ、バックアップ用バッテリ１０３の使用可能時間が短くなるという問題があった。
【０００７】
本発明は、上記のような問題を解決するためになされたものであり、バックアップ時間を長くするためにバックアップ用バッテリの電圧を高くしてもメインバッテリの電圧低下時にバックアップ用バッテリからメインバッテリに電流が流れることを防止でき、バックアップ時間を長くすることができる電源装置を得ることを目的とする。
【０００８】
【課題を解決するための手段】
この発明に係る電源装置は、負荷への電源供給を行うメインバッテリの電圧Ｖｍが低下すると該メインバッテリに代わって負荷に電源供給を行うバックアップ用バッテリを備えた電源装置において、
アノードに前記メインバッテリの電圧Ｖｍが印加されると共に、カソードに前記バックアップ用バッテリの電圧Ｖｂが印加され、メインバッテリの電圧Ｖｍを前記負荷に出力するダイオードと、
入力された制御信号に応じて該ダイオードの短絡制御を行うスイッチ回路部と、
前記メインバッテリの電圧Ｖｍを監視し、電圧Ｖｍが所定の電圧値Ｖ１未満である否かを示した信号Ｓｃ１を出力する電圧監視回路部と、
前記メインバッテリの電圧Ｖｍとバックアップ用バッテリの電圧Ｖｂの電圧比較を行い、該比較結果を示した信号Ｓｃ２を生成して出力する電圧比較回路部と、を備え、
前記スイッチ回路部は、メインバッテリの電圧Ｖｍが所定の電圧値Ｖ１未満であるか及び／又はメインバッテリの電圧Ｖｍがバックアップ用バッテリの電圧Ｖｂ以下である場合、バックアップ用バッテリからメインバッテリへの電流の流入を防ぐように、電圧Ｖｍが前記ダイオードを介して負荷に入力されるようにするものである。
【０００９】
また、前記スイッチ回路部は、メインバッテリの電圧Ｖｍが所定の電圧値Ｖ１以上であると共にメインバッテリの電圧Ｖｍがバックアップ用バッテリの電圧Ｖｂを超えている場合、前記ダイオードを短絡するようにした。
【００１０】
一方、前記電圧比較回路部は前記負荷に設けられるようにしてもよいし、更に前記電圧監視回路部が前記負荷に設けられるようにしてもよい。
【００１１】
また、前記ダイオード、スイッチ回路部、電圧監視回路部及び電圧比較回路部は、１つのＩＣに集積されるようにしてもよい。
【００１２】
また、前記ダイオード、スイッチ回路部及び電圧監視回路部は、１つのＩＣに集積されるようにしてもよい。
【００１３】
また、前記ダイオード及びスイッチ回路部は、１つのＩＣに集積されるようにしてもよい。
【００１４】
また、この発明に係る電源装置は、負荷への電源供給を行うメインバッテリの電圧Ｖｍが低下すると該メインバッテリに代わって負荷に電源供給を行うバックアップ用バッテリを備えた電源装置において、
前記メインバッテリの電圧Ｖｍを所定の電圧に安定化させて出力するレギュレータ回路部と、
アノードに該レギュレータ回路部の出力電圧が印加されると共に、カソードに前記バックアップ用バッテリの電圧Ｖｂが印加され、前記レギュレータ回路部の出力電圧を前記負荷に出力するダイオードと、
入力された制御信号に応じて該ダイオードの短絡制御を行うスイッチ回路部と、
前記レギュレータ回路部の出力電圧を監視し、該出力電圧が所定の電圧値Ｖ１未満であるか否かを示した信号Ｓｃ１を出力する電圧監視回路部と、
前記レギュレータ回路部の出力電圧とバックアップ用バッテリの電圧Ｖｂの電圧比較を行い、該比較結果を示した信号Ｓｃ２を生成して出力する電圧比較回路部と、を備え、
前記スイッチ回路部は、レギュレータ回路部の出力電圧が所定の電圧値Ｖ１未満であるか及び／又はレギュレータ回路部の出力電圧がバックアップ用バッテリの電圧Ｖｂ以下である場合、バックアップ用バッテリからメインバッテリへの電流の流入を防ぐように、電圧Ｖｍが前記ダイオードを介して負荷に入力されるようにするものである。
【００１５】
また、前記スイッチ回路部は、レギュレータ回路部の出力電圧が所定の電圧値Ｖ１以上であると共にレギュレータ回路部の出力電圧がバックアップ用バッテリの電圧Ｖｂを超えている場合、前記ダイオードを短絡するようにした。
【００１６】
また、前記電圧比較回路部は前記負荷に設けられてもよいし、更に前記電圧監視回路部が前記負荷に設けられるようにしてもよい。
【００１７】
また、前記レギュレータ回路部、ダイオード、スイッチ回路部、電圧監視回路部及び電圧比較回路部は、１つのＩＣに集積されるようにしてもよい。
【００１８】
また、前記レギュレータ回路部、ダイオード、スイッチ回路部及び電圧監視回路部は、１つのＩＣに集積されるようにしてもよい。
【００１９】
また、前記レギュレータ回路部、ダイオード及びスイッチ回路部は、１つのＩＣに集積されるようにしてもよい。
【００２０】
【発明の実施の形態】
次に、図面に示す実施の形態に基づいて、本発明を詳細に説明する。
第１の実施の形態．
図１は、本発明の第１の実施の形態における電源装置の構成例を示した図である。
図１において、電源装置１は、所定の機能を有する負荷２０に電源を供給するメインバッテリ２と、該メインバッテリ２の電圧が所定値未満に低下すると負荷２０を所定の状態に保持するように電源供給してバックアップするバックアップ用バッテリ３と、バックアップ用バッテリ３からメインバッテリ２への電流を遮断するダイオード４とを備えている。
【００２１】
更に、電源回装置１は、ダイオード４に並列に接続された制御スイッチ５と、メインバッテリ２の電圧（以下、電源電圧と呼ぶ）Ｖｍの検出を行い該検出した電源電圧Ｖｍが所定の電圧値Ｖ１以上であるか否かを示した信号を出力する電圧監視回路６と、電源電圧Ｖｍとバックアップ用バッテリ３の電圧（以下、バックアップ電圧と呼ぶ）Ｖｂの電圧値を比較し、該比較結果を示す信号を出力する電圧比較回路７と、電圧監視回路６及び電圧比較回路７からの各出力信号が対応する入力端に入力されるＡＮＤ回路８とを備えている。なお、制御スイッチ５及びＡＮＤ回路８はスイッチ回路部をなす。第１の電源端子９にはメインバッテリ２が接続され、第２の電源端子１０にはバックアップ用バッテリ３が接続されている。ＡＮＤ回路８は、入力された電圧監視回路６及び電圧比較回路７からの各信号に応じて制御スイッチ５のスイッチング制御を行う。
【００２２】
第１の電源端子９にはダイオード４のアノード側が接続され、第２の電源端子１０にはダイオード４のカソード側が接続されている。また、第１の電源端子９と第２の電源端子１０との間、すなわちダイオード４に並列に制御スイッチ５が接続され、負荷２０は、第２の電源端子１０から電源供給を受ける。電圧監視回路６は、電源電圧Ｖｍを監視し該監視結果に応じて制御信号Ｓｃ１をＡＮＤ回路８の対応する入力端に出力する。電圧比較回路７は、電源電圧Ｖｍとバックアップ電圧Ｖｂを比較し、該比較結果を示す制御信号Ｓｃ２をＡＮＤ回路８の対応する入力端に出力する。ＡＮＤ回路８は、入力された各制御信号Ｓｃ１及びＳｃ２に応じた制御信号Ｓｃ３を制御スイッチ５に出力し、制御スイッチ５のスイッチング制御を行う。
【００２３】
電圧監視回路６は、電源電圧Ｖｍが所定の電圧値Ｖ１未満になると制御信号Ｓｃ１をローレベルにしてアサートし、電源電圧Ｖｍが所定の電圧値Ｖ１以上になると制御信号Ｓｃ１をハイレベルにしてネゲートする。電圧比較回路７は、バックアップ電圧Ｖｂが電源電圧Ｖｍ以上になるとローレベルの制御信号Ｓｃ２を出力し、バックアップ電圧Ｖｂが電源電圧Ｖｍ未満になるとハイレベルの制御信号Ｓｃ２を出力する。例えば正常時の電源電圧Ｖｍが３．２Ｖ〜４．２Ｖであり、バックアップ電圧Ｖｂが３．３Ｖである場合、電圧値Ｖ１を２．９Ｖにすると、電源電圧Ｖｍ、バックアップ電圧Ｖｂ、各制御信号Ｓｃ１，Ｓｃ２及び制御スイッチ５の動作の関係は図２のようになる。
【００２４】
制御スイッチ５は、制御信号Ｓｃ１及びＳｃ２が共にハイレベルであるとき、制御信号Ｓｃ３がハイレベルになってオンし導通状態になる。すなわち、図２の場合、電源電圧Ｖｍが２．９Ｖ以上であると共にバックアップ電圧Ｖｂが電源電圧Ｖｍ未満である場合、制御スイッチ５はオンして導通状態になり、ダイオード４を短絡して第１の電源端子９は制御スイッチ５を介して第２の電源端子１０に接続される。
【００２５】
また、電源電圧Ｖｍが２．９Ｖ未満であり、及び／又はバックアップ電圧Ｖｂが電源電圧Ｖｍ以上である場合、制御スイッチ５はオフして遮断状態になり、第１の電源端子９は、ダイオード４を介して第２の電源端子１０に接続される。このようにすることにより、バックアップ用バッテリ３に３．０Ｖ又は３．３Ｖの電圧の電池を使用しても、メインバッテリ２の電圧低下時にバックアップ用バッテリ３からメインバッテリ２に電流が流れることを防止することができ、機器に対するバックアップ時間を長くすることができる。
【００２６】
図３は、ダイオード４及び制御スイッチ５の回路例を示した図である。
図３において、ダイオード４及び制御スイッチ５は、インバータ１１〜１３及びＰＭＯＳトランジスタＱ１〜Ｑ３で構成され、第１の電源端子９と第２の電源端子１０との間にＰＭＯＳトランジスタＱ１及びＱ２が直列に接続され、該直列回路に並列にＰＭＯＳトランジスタＱ３が接続されている。ＰＭＯＳトランジスタＱ１〜Ｑ３の各サブストレートゲート（バックゲートともいう）はそれぞれ接続され、該接続部はＰＭＯＳトランジスタＱ１とＱ２との接続部に接続されている。
【００２７】
ＡＮＤ回路８の出力端とＰＭＯＳトランジスタＱ３のゲートとの間にはインバータ１１〜１３が直列に接続されており、インバータ１１と１２との接続部はＰＭＯＳトランジスタＱ１のゲートに、インバータ１２と１３との接続部はＰＭＯＳトランジスタＱ２のゲートにそれぞれ接続されている。ＡＮＤ回路８は、制御信号Ｓｃ１及びＳｃ２が共にハイレベルのときのみハイレベルの制御信号Ｓｃ３を出力し、その他の場合はローレベルの制御信号Ｓｃ３を出力する。
【００２８】
ＡＮＤ回路８からの制御信号Ｓｃ３がローレベルの場合、ＰＭＯＳトランジスタＱ１及びＱ３がそれぞれオフすると共にＰＭＯＳトランジスタＱ２がオンする。この場合、ＰＭＯＳトランジスタＱ１のソースとサブストレートゲートとの間の寄生ダイオードによってダイオードが形成され、ＰＭＯＳトランジスタＱ２がオンしていることにより第１の電源端子９と第２の電源端子１０との間にダイオードが接続され、図１の制御スイッチ５がオフして遮断状態になった状態になる。
【００２９】
次に、ＡＮＤ回路８からの制御信号Ｓｃ３がハイレベルの場合、ＰＭＯＳトランジスタＱ１及びＱ３がそれぞれオンすると共にＰＭＯＳトランジスタＱ２がオフする。この場合、第１の電源端子９は、ＰＭＯＳトランジスタＱ３によって第２の電源端子１０に接続され、図１の制御スイッチ５がオンして導通状態になった状態になる。すなわち、電源電圧Ｖｍが２．９Ｖ以上であると共にバックアップ電圧Ｖｂが電源電圧Ｖｍ未満である場合、ＰＭＯＳトランジスタＱ１及びＱ３がそれぞれオンしてＰＭＯＳトランジスタＱ２がオフする。これに対して、電源電圧Ｖｍが２．９Ｖ未満、及び／又はバックアップ電圧Ｖｂが電源電圧Ｖｍ以上である場合、ＰＭＯＳトランジスタＱ１及びＱ３がそれぞれオフしてＰＭＯＳトランジスタＱ２がオンする。
【００３０】
一方、携帯電話等の場合、負荷２０は、第１の電源端子９の電圧、すなわち電源電圧Ｖｍを監視し、得られた電源電圧Ｖｍからメインバッテリ２の消耗状態を表示装置等を使用して使用者に示す機能を有するＣＰＵ等を備えている。このような場合、図１の電圧比較回路７の働きを該ＣＰＵに行わせるようにしてもよい。
図４は、図１の電圧比較回路７の機能を負荷２０のＣＰＵ（図示せず）で行わせるようにした電源装置の例を示した図である。なお、図４では、図１と同じものは又は同様のものは同じ符号で示しており、ここではその説明を省略する。
【００３１】
図４では、負荷２０は、第１の電源端子９及び第２の電源端子１０から電源電圧Ｖｍ及びバックアップ電圧Ｖｂがそれぞれ入力され、電源電圧Ｖｍとバックアップ電圧Ｖｂの電圧比較を行い該比較結果に応じてＡＮＤ回路８の対応する入力端に制御信号Ｓｃ２を出力する。なお、負荷２０による電圧比較動作及び該電圧比較結果に伴う制御信号Ｓｃ２の生成動作は電圧比較回路７と同じであることからその説明を省略する。
【００３２】
更に、電圧監視回路６の機能も負荷２０のＣＰＵに行わせるようにしてもよく、図５は、このようにした電源装置の例を示した図である。なお、図５においても、図１と同じものは又は同様のものは同じ符号で示しており、ここではその説明を省略する。
図５では、負荷２０は、第１の電源端子９及び第２の電源端子１０から電源電圧Ｖｍ及びバックアップ電圧Ｖｂがそれぞれ入力されている。
【００３３】
負荷２０は、電源電圧Ｖｍが所定の電圧Ｖ１未満であるか否かに応じた制御信号Ｓｃ１を生成してＡＮＤ回路８の対応する入力端に出力すると共に、電源電圧Ｖｍとバックアップ電圧Ｖｂの電圧比較を行い該比較結果に応じた制御信号Ｓｃ２を生成してＡＮＤ回路８の対応する入力端に出力する。なお、負荷２０による制御信号Ｓｃ１及びＳｃ２の生成動作は、電圧監視回路６及び電圧比較回路７と同じであることからその説明を省略する。また、図４及び図５の場合、厳密に言うと、負荷２０も電源装置１の構成をなしている。
【００３４】
また、図６で示すように、第１の電源端子９とダイオード４のアノードとの間にレギュレータ１５を設けてもよく、このようにした場合、第１の電源端子９は、レギュレータ１５を介してダイオード４のアノードに接続される。この場合、電圧監視回路６は、電源電圧Ｖｍの代わりに、レギュレータ１５の出力電圧を監視するようにしてもよい。この場合、ダイオード４、制御スイッチ５、電圧監視回路６、電圧比較回路７、ＡＮＤ回路８及びレギュレータ１５は、１つのＩＣに集積するようにしてもよい。
【００３５】
言うまでもなく、図４及び図５において、図６と同様にレギュレータ１５を設けるようにしてもよい。図４にレギュレータ１５を設けた場合は、ダイオード４、制御スイッチ５、電圧監視回路６、ＡＮＤ回路８及びレギュレータ１５は、１つのＩＣに集積するようにしてもよい。図５にレギュレータ１５を設けた場合は、ダイオード４、制御スイッチ５、ＡＮＤ回路８及びレギュレータ１５は、１つのＩＣに集積するようにしてもよい。
【００３６】
このように、本第１の実施の形態における電源装置は、電圧監視回路６によって、電源電圧Ｖｍが所定の電圧値Ｖ１未満になると制御信号Ｓｃ１がローレベルに、電源電圧Ｖｍが所定の電圧値Ｖ１以上になると制御信号Ｓｃ１がハイレベルになり、電圧比較回路７によって、バックアップ電圧Ｖｂが電源電圧Ｖｍ以上になると制御信号Ｓｃ２がローレベルに、バックアップ電圧Ｖｂが電源電圧Ｖｍ未満になると制御信号Ｓｃ２がハイレベルになり、制御信号Ｓｃ１及びＳｃ２が共にハイレベルのときは制御スイッチ５がオンして導通状態に、それ以外のときは制御スイッチ５がオフして遮断状態になる。このため、バックアップ用バッテリ３に３．０Ｖ又は３．３Ｖの電池を使用しても、メインバッテリ２の電圧低下時にバックアップ用バッテリ３からメインバッテリ２に電流が流れることを防止することができ、機器に対するバックアップ時間を長くすることができる。
【００３７】
【発明の効果】
上記の説明から明らかなように、本発明の電源装置によれば、メインバッテリの電圧Ｖｍが所定の電圧値Ｖ１未満であるか及び／又はメインバッテリの電圧Ｖｍがバックアップ用バッテリの電圧Ｖｂ以下である場合、バックアップ用バッテリからメインバッテリへの電流の流入を防ぐように、電圧Ｖｍが前記ダイオードを介して負荷に入力されるようにし、メインバッテリの電圧Ｖｍが所定の電圧値Ｖ１以上であると共にメインバッテリの電圧Ｖｍがバックアップ用バッテリの電圧Ｖｂを超えている場合、前記ダイオードを短絡するようにした。このことから、バックアップ時間を長くするためにバックアップ用バッテリの電圧を高くしてもメインバッテリの電圧低下時にバックアップ用バッテリからメインバッテリに電流が流れることを防止でき、バックアップ時間を長くすることができる。
【図面の簡単な説明】
【図１】本発明の第１の実施の形態における電源装置の構成例を示した図である。
【図２】図１の電源電圧Ｖｍ、バックアップ電圧Ｖｂ、各制御信号Ｓｃ１，Ｓｃ２及び制御スイッチ５の動作の関係例を示した図である。
【図３】図１のダイオード４及び制御スイッチ５の回路例を示した図である。
【図４】本発明の第１の実施の形態における電源装置の他の構成例を示した図である。
【図５】本発明の第１の実施の形態における電源装置の他の構成例を示した図である。
【図６】本発明の第１の実施の形態における電源装置の他の構成例を示した図である。
【図７】バックアップ用バッテリを使用した電源装置の従来例を示した図である。
【符号の説明】
１  電源装置
２  メインバッテリ
３  バックアップ用バッテリ
４  ダイオード
５  制御スイッチ
６  電圧監視回路
７  電圧比較回路
８  ＡＮＤ回路
９  第１の電源端子
１０  第２の電源端子
１１〜１３  インバータ
１５  レギュレータ
２０  負荷
Ｑ１〜Ｑ３  ＰＭＯＳトランジスタ
【図１】
2005045873.tif 000003
【図２】
2005045873.tif 000004
【図３】
2005045873.tif 000005
【図４】
2005045873.tif 000006
【図５】
2005045873.tif 000007
【図６】
2005045873.tif 000008
【図７】
2005045873.tif 000009